(57)【要約】【課題】  施工性に優れている上、構造が単純であって製造コストを抑えることのできる混合水栓接続用管継手を提供する。【解決手段】  混合水栓接続用管継手1は、後端側に配管接続口部21を有する水平筒状第１管継手部材2と、第１管継手部材2にその前端側から回動可能にかつ前後移動可能に嵌め被せられた回動筒部31、回動筒部31前端からラジアル方向に延びた中空状アーム部32およびアーム部32先端に前方突出状に設けられた混合水栓接続口部33よりなる第２管継手部材3とを備える。回動筒部31内周面に係合凸部34が形成される。第１管継手部材2外周面に、係合凸部34を収容する環状溝22が形成される。環状溝22の後側面に、回動筒部31を後方に移動させることにより係合凸部34と係り合わせられる係合凹部23が形成される。【選択図】  図３
2006118118.tif 000002
【特許請求の範囲】
【請求項１】
後端側に雄ネジ(21a)付き配管接続口部(21)を有する水平筒状の第１管継手部材(2)と、
第１管継手部材(2)にその前端側から回動可能にかつ前後移動可能に嵌め被せられた回動筒部(31)、回動筒部(31)の前端からラジアル方向に延びた中空状アーム部(32)、およびアーム部(32)の先端に前方突出状に設けられた混合水栓接続口部(33)よりなる第２管継手部材(3)とを備えてなり、
第２管継手部材(3)の回動筒部(31)の内周面に係合凸部(34)が１つまたは周方向に間隔をおいて複数形成され、
第１管継手部材(2)の外周面に、係合凸部(34)を収容する環状溝(22)が形成され、
環状溝(22)の後側面に、回動筒部(31)を後方に移動させることにより係合凸部(34)と係り合わせられる係合凹部(23)が、１つまたは周方向に間隔をおいて複数形成されていることを特徴とする、混合水栓接続用管継手。
【請求項２】
係合凸部(34)が、第２管継手部材(3)の回動筒部(31)にあけられたネジ孔(311)にねじ込まれたビス(4)の先端部(41)によって構成されていることを特徴とする、請求項１記載の混合水栓接続用管継手。
【請求項３】
係合凸部(34)が１つ形成され、係合凹部(23)が周方向に等間隔おきに４つ形成されていることを特徴とする、請求項１または２記載の混合水栓接続用管継手。
【発明の詳細な説明】
【技術分野】
【０００１】
本発明は、壁の裏側等に配された給湯管および給水管の各末端に混合水栓を接続するのに用いられるものであって、一般に「クランク」と称される、混合水栓接続用管継手に関する。
【背景技術】
【０００２】
この種の管継手としては、一体成形されたクランク形管体の後端部に雄ネジ付き配管接続口部が設けられ、同前端部に混合水栓接続口部が設けられてなるものが一般に知られている。
【０００３】
この一体型の管継手を使って混合水栓を接続する場合、まず、管継手後端部の雄ネジにシールテープを巻いておいてから、同雄ネジを給湯管および給水管の各末端に設けられた雌ネジにねじ込む必要がある。
【０００４】
ところが、雄ネジのねじ込み作業が完了した時点で、混合水栓接続口部が混合水栓を接続するのに適した位置に来ていることは稀であって、混合水栓接続口部が上記所要位置に来るまでねじ込み作業を何度かやり直す必要があり、非常に手間が掛かっていた。
【０００５】
そこで、上記問題点を解決する手段として、本出願人は、以下のような混合水栓接続用管継手を先に提案した。即ち、この管継手は、前端開口が閉鎖され、後端側に雄ネジ付き給湯管または給水管接続口部が設けられ、かつ周壁に湯または水導出孔があけられた水平筒状第１管継手部材と、湯または水導出孔を覆うように第１管継手部材に回動可能にかつ前後移動可能に嵌め被せられた回動筒部、回動筒部の周壁にあけられた湯または水通過孔の外周縁に外方突出状に設けられた外方突出筒部、および外方突出筒部の先端側に連なって前方に伸びた混合水栓接続口部よりなる第２管継手部材とを備えてなる。第１管継手部材の湯または水導出孔と回動筒部の湯または水通過孔とを連通させるように、第１管継手部材の外周面および回動筒部の内周面のうち少なくとも一方に環状連通溝が設けられている。回動筒部の内周面と、第１管継手部材の外周面とに、回動筒部を後方に移動させた際に互いに嵌まり合って回動筒部の回動を阻止しうる一方、回動筒部を前方に移動させた際に互いに前後にずれて回動筒部の回動を許容しうる嵌合部が設けられている（下記の特許文献１参照）。
【０００６】
上記の管継手によって給湯管および給水管の各末端に混合水栓を接続する場合、（１）まず、回動筒部を後方に移動させて回動筒部と第１管継手部材の嵌合部どうしを嵌合させておいてから、第１管継手部材の雄ネジにシールテープを巻いた後、第２管継手部材を持って前記雄ネジを給湯管および給水管の各末端の雌ネジにねじ込み、（２）次に、管継手の回動筒部を前方に移動させて前記嵌合部どうしを外し、混合水栓接続口部が混合水栓を接続するのに適した位置に来るように回動筒部を回動させ、（３）最後に、混合水栓接続口部を混合水栓本体の湯または水導入口に接続すればよい。したがって、上記の混合水栓接続用管継手によれば、雄ネジのねじ込み作業をやり直す必要がなく、給湯管および給水管への混合水栓の接続作業を極めて容易にかつ確実に行うことが可能である。
【０００７】
但し、上記の管継手の場合、構造がやや複雑であるため、その分だけ製造コストがかかっていた。
【特許文献１】特開２００３−１４７８１７号公報
【発明の開示】
【０００８】
本発明の目的は、施工性に優れている上、構造が単純であって製造コストを抑えることのできる混合水栓接続用管継手を提供することにある。
【０００９】
本発明による混合水栓接続用管継手は、後端側に雄ネジ付き配管接続口部を有する水平筒状の第１管継手部材と、第１管継手部材にその前端側から回動可能にかつ前後移動可能に嵌め被せられた回動筒部、回動筒部の前端からラジアル方向に延びた中空状アーム部、およびアーム部の先端に前方突出状に設けられた混合水栓接続口部よりなる第２管継手部材とを備えてなり、第２管継手部材の回動筒部の内周面に係合凸部が１つまたは周方向に間隔をおいて複数形成され、第１管継手部材の外周面に、係合凸部を収容する環状溝が形成され、環状溝の後側面に、回動筒部を後方に移動させることにより係合凸部と係り合わせられる係合凹部が、１つまたは周方向に間隔をおいて複数形成されていることを特徴とするものである。
【００１０】
上記の管継手によれば、例えば、次のようにして給湯管および給水管の各末端に混合水栓を接続することができる。即ち、まず、第２管継手部材の回動筒部を後方に移動させて、その係合凸部を第１管継手部材の係合凹部に係り合わせる。この操作によって、第２管継手部材の回動筒部が、第１管継手部材に対して回動不能となされる。また、第１管継手部材の配管接続口部の雄ネジにシールテープを巻いておく。
そして、この状態で第２管継手部材を手で持って所要方向に回すことにより、第１管継手部材の配管接続口部の雄ネジを給湯管および給水管の各末端の雌ネジにねじ込む。
ねじ込み作業が完了したら、回動筒部を前方に移動させる。これによって、係合凸部が係合凹部から外れて環状溝内に位置させられ、回動筒部が第１管継手部材に対して回動可能となる。
そして、混合水栓接続口部が混合水栓を接続するのに適した位置に来るように、回動筒部を所要角度回動させ、混合水栓接続口部を混合水栓本体の湯または水導入口に接続する。こうして、混合水栓の接続作業が完了する。
【００１１】
以上の通り、本発明の混合水栓接続用管継手によれば、給湯管および給水管への混合水栓の接続作業を極めて容易にかつ確実に行うことが可能である。
【００１２】
その上、本発明の混合水栓接続用管継手は、これを構成する第１管継手部材および第２管継手部材の構造が従来技術（特許文献１）と比べて単純であるため、製造コストを抑えることができる。
【００１３】
本発明による混合水栓接続用管継手において、係合凸部が、第２管継手部材の回動筒部にあけられたネジ孔にねじ込まれたビスの先端部によって構成されているのが好ましい。
【００１４】
上記構成によれば、第２管継手部材の製造が容易である上、第１管継手部材への組み付けも簡単に行いうる。
【００１５】
本発明による混合水栓接続用管継手において、係合凸部が１つ形成され、係合凹部が周方向に等間隔おきに４つ形成されているのが好ましい。
【００１６】
回動筒部の係合凸部を第１管継手部材の係合凹部に係り合わせる操作を行う場合、通常、回動筒部を回動させながら後方に移動させる必要があるが、係合凹部が周方向に等間隔おきに４つ形成されていれば、回動筒部の回動量が少なくてすみ、上記操作をよりスムーズにかつ迅速に行うことが可能となる。なお、係合凹部の数は、係合凸部の数よりも少なくならない範囲で４つ未満とすることも勿論可能であるが、その場合には上述した効果が十分に得られない。一方、係合凹部の数を４つより多くすることも可能ではあるが、第２管継手部材の加工の手間が増える上、かえって操作し難くなる。
係合凸部については、１つ形成されていれば十分であり、それによって余分なコストを抑えることができる。但し、２〜４つの係合凸部を周方向に間隔をおいて形成することも可能である。この場合、係合凸部の数が増えることによって、ねじ込み作業の際にかかる外力が分散されるため、変形や破損の可能性が低減される。
【発明を実施するための最良の形態】
【００１７】
本発明の実施形態を図１〜４を参照して以下に説明する。
図１において、浴室等の壁(W)の裏側に垂直に配された給湯管（図示略）および給水管（図示略）の各末端に、本発明による混合水栓接続用管継手(1)を介して、混合水栓(V)が接続されている。詳しい図示は省略したが、給湯管および給水管の各末端には、前方に開口した雌ネジが形成されており、これらの雌ネジが壁(W)にあけられた孔を介して壁(W)の表側に露出させられている。図１の混合水栓(V)は、シングルレバー式のものであって、水栓本体(V1)の後面に後方突出状の雄ネジ付き湯導入口部（図示略）および雄ネジ付き水導入口部（図示略）が左右に並んで設けられている。
【００１８】
図２〜４に示すように、混合水栓接続用管継手(1)は、第１管継手部材(2)と第２管継手部材(3)とを備えている。
【００１９】
第１管継手部材(2)は、後端側に雄ネジ(21a)付き配管接続口部(21)が設けられている水平筒状のものである。この部材(2)は、製造コストを抑えるために、好ましくは、銅合金等の金属よりなる棒材に所要の切削加工を施すことによって形成される。
【００２０】
第２管継手部材(3)は、第１管継手部材(2)にその前端側から回動可能にかつ前後移動可能に嵌め被せられた回動筒部(31)、回動筒部(31)の前端からラジアル方向に延びる中空状アーム部(32)、およびアーム部(32)の先端に前方突出状に設けられた混合水栓接続口部(33)よりなる。この実施形態では、回動筒部(31)は、第１管継手部材(2)のほぼ前半分を覆うような長さを有している。
【００２１】
第２管継手部材(3)の回動筒部(31)の内周面に、係合凸部(34)が１つ形成されている。係合凸部(34)は、第２管継手部材(3)の回動筒部(31)にあけられたネジ孔(311)にねじ込まれたビス(4)の先端部によって構成されている。ビス(4)としては、図２〜図４に示すように、先端部(41)にネジが切られていないものが好適に用いられる。この実施形態では、係合凸部(34)は、回動筒部(31)の後端部に形成されている。
【００２２】
一方、第１管継手部材(2)の外周面に、係合凸部(34)を収容する環状溝(22)が形成されているとともに、環状溝(22)の後側面に、回動筒部(31)を後方に移動させることにより係合凸部(34)と係り合わせられる係合凹部(23)が、周方向に等間隔おきに４つ形成されている。この実施形態では、環状溝(22)および係合凹部(23)は、第１管継手部材(2)の長さ中央よりもやや前端寄り部分に形成されている。
【００２３】
第１管継手部材(2)の雄ネジ(21a)付き配管接続口部(21)は、該部材(2)のほぼ後半分を占める長さを有している。配管接続口部(21)には、壁(W)にあけられた孔を覆い隠すための環状カバー(5)が嵌められている。
【００２４】
第１管継手部材(2)の前端側の外周面および第２管継手部材(3)の回動筒部(31)の内周面には、これらの長さ中間位置に、係合凸部(34)が係合凹部(23)と係り合わせられた際に互いに当接して回動筒部(31)の後方への移動を規制する環状段差(24)(312)が形成されている。これらの環状段差(24)(312)の存在により、後述する給湯管等の配管末端への雄ネジ(21a)のねじ込み作業を行う際に、係合凸部(34)、即ち、ビス(4)の先端部(41)に対して過度の荷重が加わることによる変形や破損が効果的に防止される。
【００２５】
第１継手部材(2)の前端側において、前記環状段差(24)よりも後方部分は、その他の部分よりも厚肉となされており、ここに環状溝(22)および係合凹部(23)が形成されている。
【００２６】
環状溝(22)の深さは、係合凸部(34)の突出長さよりも若干大きいものとなされる。環状溝(22)の幅は、回動筒部(31)の回動に伴って係合凸部(34)が周方向に移動するのを許容するように、係合凸部(34)の外径よりも若干大きくなされていればよい。また、環状溝(22)の幅を更に広げることによって、回動筒部(31)の前後位置を微調整し、給水管および給湯管の末端の前後のズレを吸収し得るように構成することも可能である。
【００２７】
係合凹部(23)の形状および大きさは、係合凸部(34)と係り合わせられて、回動筒部(31)の回動を阻止しうるようなものであれば特に限定されない。この実施形態では、各係合凹部(23)の深さおよび幅は、それぞれ係合凸部(34)の外径よりも若干大きいものとなされている。また、この実施形態では、各係合凹部(23)は、第１管継手部材(2)を構成する金属棒材へのドリル加工によって形成されており、その先端部分が円弧状となされている（図２参照）。
【００２８】
第１継手部材(2)の前端部外周面には、前後２つのパッキン収容溝が所定間隔をおいて形成され、これらの溝にＯリングよりなるパッキン(6)が嵌め込まれて、第１管継手部材(2)の外周面と回動筒部(31)の内周面との水密が保たれている。また、これらのパッキン(6)と回動筒部(31)の内周面との摩擦抵抗により、第２管継手部材(3)の自重による回動が阻止されるようになっている。
【００２９】
第２管継手部材(3)の回動筒部(31)およびアーム部(32)は、青銅鋳物等の金属材よりなるＬ形本体(301)によって一体に形成されている。Ｌ形本体(301)の先端部、即ち、アーム部(32)の先端部には、前方に開口したネジ孔(301a)が形成されている。
【００３０】
混合水栓接続口部(33)は、Ｌ形本体(301)のネジ孔(321)にねじ込まれる雄ネジ(302a)を後端部に有する筒状ナット保持部材(302)と、ナット保持部材(302)に回動可能に保持されかつ水栓本体(V1)の雄ネジ付き湯導入口部および雄ネジ付き水導入口部それぞれにねじ込まれる固定用ナット(303)とで構成されている。固定用ナット(303)は、その後端部に形成された内向きフランジ部(303a)が、ナット保持部材(302)の前端部に形成された外向きフランジ部(302b)とＬ形本体(301)外面におけるネジ孔(301a)の周縁部とで緩く挟まれることによって、回動可能となされている。ナット保持部材(302)の前端面と湯または水導入口部の後端面との間は、例えばニトリルゴム製パッキン(7)によってシールされる。
【００３１】
なお、水栓本体(V1)の湯導入口部および導入口部は、これらの各後端に固定用ナットが回動可能に設けられたものとなされる場合もある。この場合、混合水栓接続口部は、前記のナット保持部材(302)および固定用ナット(303)に代えて、例えば、Ｌ形本体(301)のネジ孔(301a)にねじ込まれる第１の雄ネジを後端部に有しかつ湯導入口部および導入口部の各後端の固定用ナットにねじ込まれる第２の雄ネジを前端部に有する雄ネジ部材によって構成することも可能である。また、この場合、Ｌ形本体(301)の先端部に、前方に突出しかつ湯導入口部および導入口部の各後端の固定用ナットにねじ込まれる雄ネジ部を有する混合水栓接続口部を一体に形成するようにしてもよい。
【００３２】
上述した第１管継手部材(2)および第２管継手部材(3)によって管継手(1)を組み立てる場合、第２管継手部材(3)における回動筒部(31)のネジ孔(311)からビス(4)を外しておいてから、第１管継手部材(2)にその前端から回動筒部(31)を嵌め被せた後、ビス(4)を、ネジ孔(311)にねじ込んで、その先端部(41)が環状溝(22)内に配されるようにすればよい。
【００３３】
次に、上記管継手(1)を用いて混合水栓(V)を給湯管および給水管の末端に接続する方法を説明する。まず、管継手(1)における第２管継手部材(3)の回動筒部(31)を回動させながら後方に移動させて、回動筒部(31)の係合凸部(34)を第１管継手部材(2)のいずれかの係合凹部(23)に係り合わせておく（図４参照）。また、第１管継手部材(2)の雄ネジ(21a)付き配管接続口部(21)にシールテープ（図示略）を巻いておく。
【００３４】
次に、第２管継手部材(3)を手で持って、第１管継手部材(2)における配管接続口部(21)を、給湯管または給水管の末端にねじ込む。
【００３５】
配管接続口部(21)のねじ込み作業が完了したら、回動筒部(31)を前方に引っ張ることにより、係合凸部(34)を係合凹部(23)から外して環状溝(22)内に位置させる（図３参照）。こうしておいてから、混合水栓接続口部(33)が混合水栓(V)を接続するのに適した位置（図１参照）に来るように、回動筒部(31)を所要角度回動させる。
【００３６】
そして、混合水栓接続口部(33)の固定用ナット(303)を、混合水栓(V)の水栓本体(V1)における湯または水導入口部の雄ネジにねじ嵌めて、両者を接続する。
【００３７】
このように、上記管継手(1)を用いれば、混合水栓接続口部(33)が所要位置に来るまで配管接続口部(21)のねじ込み作業をやり直す必要がなく、混合水栓(V)の接続作業を極めて容易にかつ確実に行うことができる。
【００３８】
また、上記の管継手(1)の場合、これを構成する第１管継手部材(2)および第２管継手部材(3)の構造が特許文献１記載の従来技術と比べて単純化されているため、その分だけ製造コストが抑えられ、安価に提供することが可能となる。
【００３９】
なお、上記の実施形態はあくまでも例示にすぎず、特許請求の範囲に記載された本発明の要旨を逸脱しない範囲で適宜に変更の上、本発明を実施することは勿論可能である。
【図面の簡単な説明】
【００４０】
【図１】本発明の実施形態を示すものであって、混合水栓接続用管継手によって混合水栓を給湯管および給水管に接続した状態を示す斜視図である。
【図２】混合水栓接続用管継手の分解斜視図である。
【図３】第２管継手部材の係合凸部が第１管継手部材の係合凹部から外れて、第２管継手部材の回動筒部が回動可能となされた状態の混合水栓接続用管継手を示すものであって、（ａ）は縦断面図、（ｂ）は（ａ）の３ｂ−３ｂ線に沿う横断面図である。
【図４】第２継手部材の係合凸部が第１継手部材の係合凹部に係り合わせられて、第２管継手部材の回動筒部が回動不能となされた状態の混合水栓接続用管継手を示すものであって、（ａ）は縦断面図、（ｂ）は（ａ）の４ｂ−４ｂ線に沿う横断面図である。
【符号の説明】
【００４１】
(1)：混合水栓接続用管継手
(2)：第１管継手部材
(21)：配管接続口部
(21a)：雄ネジ
(22)：環状溝
(23)：係合凹部
(3)：第２管継手部材
(31)：回動筒部
(311)：ネジ孔
(32)：アーム部
(33)：混合水栓接続口部
(34)：係合凸部
(4)：ビス
(41)：先端部
【図１】
2006118118.tif 000003
【図２】
2006118118.tif 000004
【図３】
2006118118.tif 000005
【図４】
2006118118.tif 000006